(57)【要約】【課題】便器本体以外の設置スペースを必要とせず、かつトイレ室内の便器本体の周囲を整然とした状態にすることができる洋風水洗式便器を提供する。【解決手段】本発明の洋風水洗式便器は、便鉢２の後方に外周壁１Ｗによって囲まれた収納空間１Ｓが形成されているとともに、水封部４の下流側に便器排水路５が連通する便器本体１と、外部から洗浄水が供給される給水管１０と連通する給水路を有し、便鉢２に洗浄水を供給する給水装置１００とを備えている。給水装置１００は、給水路の途中に洗浄水を貯留するタンク１７０を有し、タンク１７０は収納空間１Ｓ内に収納されている。【選択図】図１
2008240402.tif 000002
【特許請求の範囲】
【請求項１】
便鉢の後方に外周壁によって囲まれた収納空間が形成されているとともに、水封部の下流側に便器排水路が連通する便器本体と、外部から洗浄水が供給される給水管と連通する給水路を有し、該便鉢に洗浄水を供給する給水装置とを備えた洋風水洗式便器において、
前記給水装置は、前記給水路の途中に洗浄水を貯留するタンクを有し、
該タンクは前記収納空間内に収納されていることを特徴とする洋風水洗式便器。
【請求項２】
前記タンクは前記外周壁の上端から吊下げられている請求項１記載の洋風水洗式便器。
【請求項３】
前記タンクは、前記給水管に流入口が連通し、貯留した洗浄水を流出口から流出可能であり、かつ内部に連通する大気口を有し、
前記給水装置は、該タンクに貯留された洗浄水を前記便鉢に送り出す送水手段と、該送水手段を制御する制御手段とをさらに有し、
該送水手段は、前記給水管と該流入口とを連通する導水管と、該導水管を開閉する第１開閉弁と、該第１開閉弁より下流側で該導水管に導入口が接続され、該タンクの該流入口に接続された導出口から洗浄水を導出することにより、外部に開口する吸気口から空気を吸引するエゼクタと、該大気口を開閉する第２開閉弁と、該流出口と前記便鉢とを連通する送出管とを有し、
該制御手段は該第１開閉弁及び該第２開閉弁を制御する請求項１又は２記載の洋風水洗式便器。
【請求項４】
前記タンクは洗浄水を蓄圧して貯留する蓄圧タンクである請求項１又は２記載の洋風水洗式便器。
【発明の詳細な説明】
【技術分野】
【０００１】
本発明は洋風水洗式便器に関する。
【背景技術】
【０００２】
特許文献１の図１に従来の洋風水洗式便器が開示されている。この洋風水洗式便器は、便器本体と給水装置とを備えている。便器本体は、水封部の下流側に便器排水路が連通している。給水装置は、便鉢に洗浄水を供給するものであり、外部から洗浄水が供給される給水管と連通する給水路と、給水路を分岐した分岐給水路とを有している。また、この給水装置は、便器本体から外部に延出した分岐給水路の途中に洗浄水を蓄圧して貯留する蓄圧タンクを有している。この蓄圧タンクは、便器本体の後方かつ側方に配置される。
【０００３】
このような構成である従来の洋風水洗式便器は、蓄圧タンク内の蓄圧された洗浄水を便鉢に供給することができるため、充分な水勢を得た洗浄水を便鉢に供給し、汚物を水封部から便器排水路に確実に排出することができる。
【０００４】
【特許文献１】特開２００６−７０６１７号公報
【発明の開示】
【発明が解決しようとする課題】
【０００５】
しかし、上記従来の洋風水洗式便器では、蓄圧タンクは便器本体の後方かつ側方に配置されているため、トイレ室内に蓄圧タンクを配置するためのスペースが便器本体とは別に必要となる。また、この洋風水洗式便器では、トイレ室内の便器本体の周囲に蓄圧タンクと便器本体から延出した分岐給水路とが配置されるため、トイレ室内の便器本体周囲が煩雑になる。
【０００６】
本発明は、上記従来の実情に鑑みてなされたものであって、便器本体の設置スペース以外にスペースを必要とせず、かつトイレ室内の便器本体の周囲を整然とした状態にすることができる洋風水洗式便器を提供することを解決すべき課題としている。
【課題を解決するための手段】
【０００７】
本発明の洋風水洗式便器は、便鉢の後方に外周壁によって囲まれた収納空間が形成されているとともに、水封部の下流側に便器排水路が連通する便器本体と、外部から洗浄水が供給される給水管と連通する給水路を有し、該便鉢に洗浄水を供給する給水装置とを備えた洋風水洗式便器において、
前記給水装置は、前記給水路の途中に洗浄水を貯留するタンクを有し、
該タンクは前記収納空間内に収納されていることを特徴とする。
【０００８】
このような構成である本発明の洋風水洗式便器では、便鉢の後方に外周壁によって囲まれた収納空間内にタンクを収納するため、便器本体とは別にタンクを設置するためのスペースを必要としない。また、この洋風水洗式便器では、給水路が便器本体の外周壁より外部に延出しない。
【０００９】
したがって、本発明の洋風水洗式便器は、便器本体の設置スペース以外にスペースを必要とせず、かつトイレ室内の便器本体の周囲を整然とした状態にすることができる。
【００１０】
本発明の洋風水洗式便器においては、タンクは外周壁の上端から吊下げられていることが好ましい。この場合、タンクの取付け及び取外しを上方から行なうことができるため、タンクの組付け及びメンテナンスを容易に行なうことができる。
【００１１】
本発明の洋風水洗式便器において、タンクは、給水管に流入口が連通し、貯留した洗浄水を流出口から流出可能であり、かつ内部に連通する大気口を有し、
給水装置は、タンクに貯留された洗浄水を便鉢に送り出す送水手段と、送水手段を制御する制御手段とをさらに有し、
送水手段は、給水管と流入口とを連通する導水管と、導水管を開閉する第１開閉弁と、第１開閉弁より下流側で導水管に導入口が接続され、タンクの流入口に接続された導出口から洗浄水を導出することにより、外部に開口する吸気口から空気を吸引するエゼクタと、大気口を開閉する第２開閉弁と、流出口と前記便鉢とを連通する送出管とを有し、
制御手段は第１開閉弁及び第２開閉弁を制御することが好ましい。
【００１２】
この場合、第２開閉弁を開閉することにより、洗浄水をタンクへ貯留したり、タンクに貯留された洗浄水を流出させたりすることができる。つまり、第２開閉弁を開弁状態にすれば、エゼクタによって吸引され、洗浄水とともにタンク内に流入する空気は、大気口からタンク外に排出されるため、洗浄水のみがタンク内に貯留される。また、第２開閉弁を閉弁状態にすれば、タンクの上部に空気が滞留して増加するため、タンク内に貯留されている洗浄水が便鉢に押し出される。このため、第２開閉弁の開閉タイミングを制御することにより、便鉢への洗浄水の単位時間当たりの供給量を増減させることができる。また、第２開閉弁は空気用の開閉弁であるため、圧力があまりかからず、水用の開閉弁に比べて小型にでき、開閉動作を小さな力で行なうことができる。
【００１３】
本発明の洋風水洗式便器において、タンクは洗浄水を蓄圧して貯留する蓄圧タンクにすることもできる。この場合、蓄圧タンク内の洗浄水を便鉢に供給することができる。このため、充分な水勢を有する洗浄水で便鉢を洗浄することができ、汚物を水封部から便器排水路に確実に排出することができる。
【００１４】
本発明の洋風水洗式便器においては、便器排水路から空気を吸引する吸気装置をさらに備え得る。この吸気装置も収納空間内に収納されていることが好ましい。
【００１５】
この場合、洋風水洗式便器に吸気装置を付加するとしても、吸気装置が収納空間の空いているスペースに収納されるため、便器本体の設置スペースとは別に吸気装置を設置するためのスペースを必要とせず、トイレ室内の便器本体の周囲を煩雑にしてしまうこともない。また、吸気装置によって便器排水路から空気を吸引することにより、短時間に便器排水路内が洗浄水で満水状態になるため、少ない洗浄水で早期にサイホン作用が発生し、排出流を形成することができる。
【００１６】
吸気装置としては、種々のものを採用することができる。例えば、電気式の吸引ポンプの他、洗浄水を供給することにより負圧を発生させるエゼクタ等を採用することができる。
【発明を実施するための最良の形態】
【００１７】
以下、本発明を具体化した実施例１及び２を図面を参照しつつ説明する。
【実施例１】
【００１８】
図１及び図２に示すように、実施例１の洋風水洗式便器は、便器本体１、給水装置１００及び吸気装置２００を備えている。なお、便座及び便蓋の図示は省略する。
【００１９】
便器本体１は、外周壁１Ｗ内に便鉢２を有するとともに、便鉢２より後方に上下が開放した収納空間１Ｓを有している。また、便器本体１は便鉢２の上部内周にリム３を有している。また、図４に示すように、便器本体１には便鉢２の下端から上方に延びる上昇流路２ｂが形成され、便鉢２の下方には水封部４が形成されている。便器本体１の上昇流路２ｂは接続管と接続されており、接続管内は便器排水路５、滞留部６及び排水口７とされている。
【００２０】
水道管は便器本体１が据え付けられるトイレ室の床面又は壁面から引き込まれている。給水装置１００は、その水道管の止水栓Ｖ４に接続された給水管１０に給水口１１０が接続されている。また、図１及び図２に示すように、給水装置１００は、リムノズル１９０に設けられた吐水口１９５からリム３に洗浄水を吐水する。リム３に吐水された洗浄水は、便鉢２の内面に沿って旋回しながら流れ落ち、便鉢２内に旋回流を形成する。
【００２１】
また、図４に示すように、給水装置１００は、給水口１１０の下流側にボール式の止水弁１２０、ストレーナ１３０、定流量弁１４０、第１開閉弁Ｖ１及び一軸式のバキュームブレーカー１５０をこの順に内蔵する第１導水管１００Ｍからなる給水部１００Ｋを有している。
【００２２】
また、給水装置１００は、給水部１００Ｋの下流に、エゼクタ１６０及びタンク１７０がこの順で設けられた準備部１００Ｊを有している。エゼクタ１６０は、吸気口１６１を有している。吸気口１６１には逆止弁Ｖ５が設けられ、大気に連通する吸気管２０がさらに接続されている。吸気管３０は第３開閉弁Ｖ３により開閉される。
【００２３】
エゼクタ１６０から吐水される空気を含んだ洗浄水は、ノズル１７１を介してタンク１７０の流入室１７２内に流入する。流入した洗浄水は旋回流を形成し、空気を分離しながらタンク１７０内に貯留される。
【００２４】
流入室１７２の上壁に設けられた大気口１７３には、大気に連通する連通管２０が接続されている。連通管２０は第２開閉弁Ｖ２により開閉される。流入室１７２内で洗浄水から分離された空気は、第２開閉弁Ｖ２が閉弁していると流入室１７２の上部に溜まり、第２開閉弁Ｖ２が開弁していると大気へ放出される。
【００２５】
タンク１７０は、流入室１７２と、この流入室１７２と底部で連通する流出室１７４とを有している。流出室１７４の上壁に設けられた流出口１７５には、送出管１８０とリムノズル１９０とからなる第２導水管１００Ｌが接続されている。図２に示すように、吐水口１９５が設けられたリムノズル１９０は、リム３に連通するリム吐水室３Ｓの後端壁の開口に接続されている。タンク１７０の側面は結露を防止する防露材に覆われている。
【００２６】
図１及び図２に示すように、タンク１７０は、吊下げフレーム３００に保持されて収納空間１Ｓ内に収納されている。このため、便器本体１の設置スペースとは別にタンク１７０の設置スペースを必要としない。また、給水部１００Ｋ、準備部１００Ｊ及び第２導水管１００Ｌは便器本体１の外周壁１Ｗより外部に延出しない。
【００２７】
図３に示すように、吊下げフレーム３００は、主フレーム３００Ｍ、副フレーム３００Ｓ及び上部フレーム３００Ｕにより構成されている。
【００２８】
主フレーム３００Ｍは、タンク１７０を垂直方向で挟み込む一対の垂下片３００ａ、３００ｂと、これら垂下片の下端を連結し、タンク１７０の底面を載置する下端片３００ｃとを有している。また、一方の垂下片３００ａの上端は、外周壁１Ｗの上端面１Ｕに係止する係止片３０１を有している。他方の垂下片３００ｂの上端は、前後方向に伸びる連結片３００ｄを有している。この連結片３００ｄの後端には、外周壁１Ｗの上端面１Ｕに係止する係止片３０２が形成され、この連結片３００ｄの前端には、収納空間１Ｓの上方開口を形成する便器上面１Ａの後端部上面に係止する係止片３０３が形成されている。各係止片３０１、３０２、３０３には、各々ボルト３０４ｂが挿通する長孔３０１ｈ、３０２ｈ、３０３ｈが設けられている。外周壁１Ｗの上端面１Ｕと便器上面１Ａの後端部上面には、各長孔３０１ｈ、３０２ｈ、３０３ｈに対応する位置に雌ねじを有するボルト孔１ｈが設けられている。
【００２９】
副フレーム３００Ｓは、タンク１７０の側面を保持する帯状のものである。主フレーム３００Ｍの一対の垂下片３００ａ、３００ｂの間に２個の副フレーム３００Ｓが上下方向に離れて固定されている。
【００３０】
主フレーム３００Ｍに副フレーム３００Ｓが固定されものに対して、タンク１７０が上方から挿入される。その後、上部フレーム３００Ｕが主フレーム３００Ｍに固定され、タンク１７０が上方へ抜けないように吊下げフレーム３００に固定される。
【００３１】
タンク１７０を保持した吊下げフレーム３００は、各係止片３０１、３０２、３０３を外周壁１Ｗの上端面１Ｕ及び便器上面１Ａの後端部上面に係止し、収納空間１Ｓ内に吊下げられる。上方から各ボルト３０４ｂを各長孔３０１ｈ、３０２ｈ、３０３ｈに挿通させ、各ボルト孔１ｈに螺合させる。これにより、各係止片３０１、３０２、３０３は、外周壁１Ｗの上端面１Ｕ及び便器上面１Ａの後端部上面に締め付け固定される。このため、タンク１７０の取り付け及び取り外しを上方から行うことができ、タンク１７０の組み付け及びメンテナンスを容易に行なうことができる。
【００３２】
また、図１及び図２に示すように、給水部１００Ｋは、立上げフレーム３１０によって外周壁１Ｗの上端より上方に組み付けられている。このため、バキュームブレーカー１５０が便器本体１の上面より上方に位置するため、汚水が上流側に逆流することを確実に防止することができる。
【００３３】
図１及び図４に示すように、吸気装置２００は、図示しない電気式の吸引ポンプを内蔵しているものである。この吸気装置２９９も図示しないフレームによって収納空間１Ｓ内に収納されている。また、吸気装置２００は、接続管から分岐した分岐管８ｐを介して便器排水路５と接続されている。
【００３４】
図５に示すように、第１開閉弁Ｖ１、第２開閉弁Ｖ２及び第３開閉弁Ｖ３は制御装置Ｃにより開閉タイミング及び開閉時間が制御されている。また、吸気装置２００も制御装置Ｃにより駆動が制御されている。
【００３５】
したがって、実施例１の洋風水洗式便器は、タンク１７０を収納空間１Ｓに収納し、給水部１００Ｋ、準備部１００Ｊ及び第２導水管１００Ｌは便器本体１の外周壁１Ｗより外部に延出しないため、便器本体１以外の設置スペースを必要とせず、かつトイレ室内の便器本体１の周囲を整然とした状態にすることができる。
【００３６】
次に、実施例１の洋風水洗式便器の給水装置１００及び吸気装置２００の作動を説明する。
【００３７】
非洗浄時には、第１開閉弁Ｖ１、第２開閉弁Ｖ２及び第３開閉弁Ｖ３は閉弁している。この状態では、タンク１７０内には洗浄水が貯留されている。
【００３８】
用便後、制御装置Ｃに対して便器洗浄の開始信号を送信する洗浄スイッチを使用者が操作することにより、制御装置Ｃによって第１開閉弁Ｖ１が開弁する。
【００３９】
これにより、洗浄水はエゼクタ１６０を通って流入室１７２内に流入する。そして、流入室１７２内に流入した洗浄水と同じ量の洗浄水が流出室１７４から第２導水管１００Ｌを介してリム３に供給される。リム３に供給された洗浄水は便鉢２の内面に沿って旋回しながら流れ落ち、便鉢２内に旋回流が形成される。この旋回流により、汚物は便鉢２の中央に集められる。なお、この旋回流により、ペーパーは、ほぐれて洗浄水となじみ、洗浄水中に分散する。この際、第３開閉弁Ｖ３が閉弁しているため、エゼクタ１６０が空気を吸引する音を防止している。
【００４０】
所定時間経過後、制御装置Ｃによって吸気装置２００が便器排水路５内の空気を一定量吸引する。この際には、便鉢２内の水位はリム３から供給された洗浄水によって十分に高くなっており、水封部４の最高位部４ａとの間の水頭差が十分に大きなものとなっている。このため、便鉢２内の洗浄水は、この水頭差と便器排水路５内の空気の吸引とにより、短時間に便器排水路５内が洗浄水で満水状態になって、少ない洗浄水で早期にサイホン作用が発生し、排出流が形成される。
【００４１】
この際、便鉢２内に形成された旋回流により便鉢２の中央に集められた汚物は、サイホン作用により便器排水路５へ排水される洗浄水に伴って、便器排水路５へ確実に排出される。
【００４２】
また、便器排水路５は、滞留部６によって下流側と封鎖され、便器排水路５は水封部４と滞留部６との間に存在する閉空間にされている。このため、確実に便器排水路５から一定量の空気を吸引することができるため、サイホン作用を安定して発生させることができる。
【００４３】
便鉢２の水位が便鉢２の最低位部２ａの高さ近傍にまで低下する瞬間、制御装置Ｃによって第３開閉弁Ｖ３を開弁する。これにより、外部の大量の空気が第３開閉弁Ｖ３、吸気管３０、エゼクタ１６０及びノズル１７１を介して流入室１７２内に流入する。このため、流入室１７２内の洗浄水は、流入した大量の空気により流出室１７４及び第２導水管１００Ｌを介してリム３に押し出される。これにより、流入室１７２内の水位は急激に大きく低下する。
【００４４】
便鉢２内の水位が便鉢２の最低位部２ａより低くなり、便器排水路５に便鉢２から空気が流入してサイホン作用が終了する前において、こうしてリム３に供給される洗浄水は、タンク１７０に貯留された洗浄水も加わり、単位時間当たりの供給水量が多くなっている。このため、水封部４は破封せず、便鉢２内の洗浄水は旋回を継続し、サイホン作用も継続する。また、便鉢２内の旋回流も強力になる。さらに、洗浄水の水勢も増加する。このため、便鉢２内に残留する汚物は、便器排水路５内へ押し出され、より確実に排出される。
【００４５】
流入室１７２に空気が充満し、タンク１７０内に貯留された洗浄水がリム３に供給されなくなる前に、制御装置Ｃによって第１開閉弁Ｖ１を閉弁するとともに、吸気装置２００から便器排水路５内に空気を流入させる。これにより、便器排水路５を洗浄水により満水にする状態が維持できず、サイホン作用が終了する。
【００４６】
サイホン作用が終了した後、制御装置Ｃによって第１開閉弁Ｖ１及び第２開閉弁Ｖ２を開弁すると、エゼクタ１６０が外部から空気を吸引しながら流入室１７２に洗浄水が流入する。洗浄水中の空気は、流入室１７２内で良好に分離され、大気口１７３、連通管２０及び第２開閉弁Ｖ２を介して外部に放出される。このため、タンク１７０内の洗浄水は洗浄開始前の所定の水位まで蓄積される。また、流出室１７４から第２導水管１００Ｌを介して洗浄水がリム３に供給され、便鉢２内に洗浄水が溜まり覆水する。その後、制御装置Ｃによって第１開閉弁Ｖ１、第２開閉弁Ｖ２及び第３開閉弁Ｖ３が閉弁され、便器洗浄の待機状態となる。
【実施例２】
【００４７】
図６に示すように、実施例２の洋風水洗式便器の給水装置４００は、第１開閉弁Ｖ１より上流側の第１導水管１００Ｍから分岐導水管１００Ｂが分岐している。この給水装置４００は、分岐導水管１００Ｂの途中に、逆止弁Ｖ７、蓄圧タンク２７０及び第４開閉弁Ｖ６を上流側から順に有している。この蓄圧タンク２７０は、便鉢２の後方に形成された収納空間１Ｓに収納されている。第１開閉弁Ｖ１及び第４開閉弁Ｖ６は制御装置Ｃにより開閉タイミング及び開閉時間が制御されている。他の構成は実施例１と同様である。このため、同一の構成については、同一の符号を付し詳細な説明は省略する。
【００４８】
実施例２の洋風水洗式便器の給水装置４００において、蓄圧タンク２７０に貯留された洗浄水がリム３に供給される作動を説明する。
【００４９】
非洗浄時には、第１開閉弁Ｖ１及び第４開閉弁Ｖ６は閉弁している。この状態では、蓄圧タンク２７０内に貯留された洗浄水には静水圧がかかっている。
【００５０】
便器洗浄開始後、サイホン作用が発生し、便鉢２の水位が便鉢２の最低位部２ａの高さ近傍にまで低下する瞬間、制御装置Ｃによって第４開閉弁Ｖ６を開弁する。これにより、蓄圧タンク２７０内に貯留された洗浄水は、分岐導水管１００ｂ、第１導水管１００Ｍ及びリムノズル１９０を介して吐水口１９５からリム３に供給される。
【００５１】
便鉢２内の水位が便鉢２の最低位部２ａより低くなり、便器排水路５に便鉢２から空気が流入してサイホン作用が終了する前において、こうしてリム３に供給される洗浄水は、蓄圧タンク２７０に貯留された洗浄水も加わり、単位時間当たりの供給水量が多くなっている。このため、水封部４は破封せず、便鉢２内の洗浄水は旋回を継続し、サイホン作用も継続する。また、洗浄水は、流動圧よりも高い静水圧によりリム３に供給されるため、便鉢２内の旋回流も強力になる。さらに、洗浄水の水勢も増加する。このため、便鉢２内に残留する汚物は、便器排水路５内へ押し出され、より確実に排出される。
【００５２】
サイホン作用が終了した後、制御装置Ｃによって第４開閉弁Ｖ６が閉弁される。その後、便鉢２内に洗浄水が溜まり覆水した後、制御装置Ｃによって第１開閉弁Ｖ１が閉弁され、便器洗浄の待機状態となる。
【００５３】
この洋風水洗式便器においては、便器本体１とは別に蓄圧タンク２７０を設置するためのスペースを必要としない。また、第１導水管１００Ｍ及び分岐導水管１００Ｂが便器本体１の外周壁１Ｗより外部に延出しない。
【００５４】
したがって、この洋風水洗式便器も、実施例１と同様、本発明の作用効果を奏することができる。また、この洋風水洗式便器では、蓄圧タンク２７０内の洗浄水により、充分な水勢を有する洗浄水で便鉢２を洗浄することができ、汚物を水封部４から便器排水路５に確実に排出することができる。
【００５５】
以上において、本発明を実施例１、２に即して説明したが、本発明は上記実施例１、２に制限されるものではなく、その趣旨を逸脱しない範囲で適宜変更して適用できることはいうまでもない。
【００５６】
【産業上の利用可能性】
【００５７】
本発明は洋風水洗式便器に利用可能である。
【図面の簡単な説明】
【００５８】
【図１】実施例１の洋風水洗式便器の斜視図である。
【図２】実施例１の洋風水洗式便器の横断面図である。
【図３】実施例１の一部分解斜視図である。
【図４】実施例１の洋風水洗式便器の模式図である。
【図５】実施例１の給水装置及び吸気装置の制御装置を示す模式図である。
【図６】実施例２の洋風水洗式便器の模式図である。
【符号の説明】
【００５９】
１…便器本体
１Ｗ…外周壁
１Ｓ…収納空間
２…便鉢
４…水封部
５…便器排水路
１０…給水管
１００、４００…給水装置
１００Ｋ、１００Ｊ，１００Ｌ…給水路（１００Ｋ…給水部、１００Ｊ…準備部，１００Ｌ…第２導水管）
１７０…タンク
２７０…蓄圧タンク
【図１】
2008240402.tif 000003
【図２】
2008240402.tif 000004
【図３】
2008240402.tif 000005
【図４】
2008240402.tif 000006
【図５】
2008240402.tif 000007
【図６】
2008240402.tif 000008